(57)【要約】
【課題】  組立・分解が容易であり、しかも短時間にでき、かつ強固に組立ることができる組立式の書籍等の棚を提供する。
【解決手段】  側板（２、３）、天板（６）、地板（７）、背板（８）及び棚板（３２）を備え、その側板（２、３）と天板（６）の連結部に、突起プレート（９）と溝プレート（１０）を対向して設け、この突起プレート（９）と溝プレート（１０）の係合によって連結部を結合し、側板（２、３）及び天板（６）の内面に形成した溝（２２）に背板（８）の縁部を挿入して後、側板（２、３）と背板（８）をアングル固定具（１１）で結合する。
【選択図】        図４
0003100980.tif 000002
【実用新案登録請求の範囲】
【請求項１】
側板、天板、地板、背板及び棚板を備えた組立式の棚であって、その側板と天板の連結部または側板と地板の連結部の一方の連結部を着脱可能に結合し得るようその連結部に頭部と首部を有する突起プレートとこの突起プレートの頭部の挿入が可能な孔を有しこの孔に連続してその首部を案内し頭部の抜け止めとなる幅の長孔を有する溝プレートを対向して設け、この突起プレートと溝プレートを係合して上記側板と天板または側板と地板の一方側の連結部を結合することを特徴とする組立式書籍等棚。
【請求項２】
天板または地板の一方と側板はその内面に背板の縁部を挿入する溝を有し、突起プレートと溝プレートを係合して上記側板と天板の連結部または側板と地板の連結部の一方の連結部を結合し上記溝に背板の縁部を挿入して後、側板と背板を結合するアングル等の固定具を備えた請求項１に記載の組立式書籍等棚。
【請求項３】
天板、地板及び側板はその内面に背板の縁部を挿入する溝を有し、突起プレートと溝プレートを係合して上記側板と天板の連結部または側板と地板の連結部の一方の連結部を結合し上記溝に背板の縁部を挿入して後、上記側板と天板の連結部または側板と地板の連結部の他方の連結部を結合するアングル等の固定具を備えた請求項１に記載の組立式書籍等棚。
【請求項４】
棚を横方向に延長し得るよう対向する側板の間に中間の側板を設けた請求項１〜３のいずれかに記載の組立式書籍等棚。
【請求項５】
縦方向に延長し得るよう上部の棚と下部の棚を有する棚であって、上部の棚の側板と地板の連結部を結合する固定プレートを設けると共に、その連結部に固定プレートを嵌合させる溝を形成し固定プレートと連結部の下面がほぼ同一面となるようにした請求項１〜４のいずれかに記載の組立式書籍等棚。
【考案の詳細な説明】
【技術分野】
【０００１】
本考案は、書籍や書類、展示物等を収納する棚であって、簡便かつ迅速に組立かつ分解することができる組立式棚に関する。
【背景技術】
【０００２】
組立式の書架は既に存在しているところであるが、この種の書架は側板と天板及び側板と地板の間をそれぞれボルトで締結して組み立てるものである。
【０００３】
このように、従来の組立式書架は、側板と天板及び側板と地板の連結部を全てボルトで締結しているので、ボルト締めの作業が多くなり組立にかなりの時間を要すると共に、その書物の重さによってボルトが緩むことがあった。
【考案の開示】
【考案が解決しようとする課題】
【０００４】
本考案は、このような従来の問題を解決すると共に更に改良するものであって、組立・分解が容易であり、しかも短時間にでき、かつ強固に組立ることができる組立式の書籍等の棚を提供しようとするものである。
【課題を解決するための手段】
【０００５】
本考案は、棚の側板と天板または側板と地板の一方側の連結部に、突起プレートと溝プレートを対向して設け、この突起プレートと溝プレートの係合によって連結部の一方側を結合し従来のボルト締め作業を簡素化するようにしたものである。
【０００６】
また、側板、天板及び／または地板の内面に背板の縁部を挿入する溝を形成し、突起プレートと溝プレートを係合して上記側板と天板の連結部または側板と地板の連結部の一方の連結部を結合し上記溝に背板の縁部を挿入して後、側板と背板を、あるいは上記側板と天板の連結部または側板と地板の連結部の他方の連結部を結合するアングル等の固定具を備えたものである。
【０００７】
更に、棚を横方向に延長するために、対向する側板の間に中間の側板を設けるようにしたものであり、また棚を縦方向に延長する際に、上部の棚の側板と地板の連結部に固定プレートを設けると共に、その連結部に固定プレートを嵌合させる溝を形成し固定プレートと連結部の下面をほぼ同一面となるようにしたものである。
【考案の効果】
【０００８】
本考案は、棚の側板と天板または側板と地板の一方側の連結部に突起プレートと溝プレートを設け、このプレートどうしを係合することによって一方側の連結部を結合するようにしたものであるから、従来のように全ての連結部をボルト締めして固定する場合に比較して迅速に（実際の作業では従来の場合の約１／３〜１／４の時間で）組立てることができる。
【０００９】
しかも、上記のように突起プレートと溝プレートを設けると共に、側板と天地板に背板を支持するための溝を設け、側板と天板または側板と地板の一方側の連結部を上記プレートを用いて結合し、上記溝に背板の縁部を挿入し支持して後、側板と背板、あるいは側板と天板または側板と地板の他方側の連結部をアングル等の固定具で固定するようにしたので、このような簡便な作業をもって能率よく、かつ強固に組立てることができる。
【００１０】
更に、対向する側板の間に中間の側板を設けているので、棚を横方向に延長することができ、又棚を上部の棚と下部の棚に形成し縦方向に延長する際に、その上部の棚の側板と地板の連結部に溝を形成しこの溝に固定プレートを嵌合することによって固定プレートと連結部の下面をほぼ同一面とすることができ、これによって上部の棚と下部の棚の結合を容易にすることができる。
【考案を実施するための最良の形態】
【００１１】
本考案の組立式書籍等棚は、書籍や書類、展示物等種々の物を収納する棚として用いることができるものであるが、以下に組立式書架を実施例として説明する。
なお、この実施例では、縦横方向に延長するようにしたもの、いわゆる増設タイプの組立式書架が示されている。
【００１２】
組立式書架（１）は、図１及び図２に示すように、両側の側板（２）の間に中間の側板（３）を設け、横方向に延長すると共に縦方向（上下方向）にも延長しており、上下に２段に下部の棚（４）と上部の棚（５）を有し、これらの両方の棚を連結して一つの棚を形成している。
なお、この棚は、図３に示すように下部の棚の側板（２）を台形状に形成し、その棚に収納した書籍等をより見易くしたり、上下部の棚を２セット背中合わせに形成したり、上記の中間の側板（３）を設けずに上下部の棚の幅を狭くして全体を一体にあるいは一体的に形成したりすることができる。
【００１３】
上記書架（１）は、図示の例では、側板（２）、中間の側板（３）、天板（６）、地板（７）、背板（８）、棚板（３２）及びこれらの各板を結合するための突起プレート（９）と溝プレート（１０）、アングル（１１）等の固定具及び上部の棚（５）を用いる固定プレート（１２）を備えている。
なお、上記側板（２）及び中間の側板（３）には、その内面に上記複数の棚板（３２）をそれぞれ支持するための棚板受け（１３）が設けられており、また下部の棚（４）には適宜巾木（１４）や台枠（図示せず）等が設けられる。
【００１４】
図４に下部の棚（４）の組立て手順について示す。
図示のものでは、天板（６）の両側面に突起プレート（９）が設けられており、これに対応する側板（２）及び中間の側板（３）の上部内面に、溝プレート（１０）が上記突起プレートと同様にボルト（１５）等で固定されている。
【００１５】
この突起プレート（９）には、図６及び図７に示すように、プレート上に頭部（１６）と首部（１７）を有する突起（１８）が設けられており、一方溝プレート（１０）には、図８に示すように上記突起プレートの頭部（１６）の挿入が可能な大きさを有する孔（１９）と、この孔に連続し上記突起プレートの首部（１７）を案内すると共に頭部の抜け止めとなる幅を有する長孔（２０）が設けられている。
なお、実施例では、上記突起（１８）がボルト（３８）によって突起プレート（９）に固定されているが、この突起（１８）をプレートに直接ねじ込んだり、プレートと一体に形成したりすることができる。
【００１６】
このように側板（２）、中間の側板（３）及び天板（６）には突起プレート（９）と溝プレート（１０）が設けられているので、図９及び図１０に示すように、突起プレートの頭部（１６）を溝プレートの孔（１９）に挿入し、その突起プレートの首部（１７）を溝プレートの長孔（２０）に案内し移動することによって側板（２）と天板（６）及び中間の側板（３）と天板（６）どうしを結合することができる。
この結合作業は側板（２）及び中間の側板（３）を横にした状態で行うと作業し易い。
なお、溝プレート（１０）を装着した側板（２）及び中間の側板（３）には、溝プレート（１０）の裏面の位置に突起プレート（９）の頭部（１６）が移動できるように凹部（２１）を形成しておくとよい。
【００１７】
側板（２）と天板（６）及び中間の側板（３）と天板（６）を上記突起プレート（９）と溝プレート（１０）で結合し、その後、地板（７）の取付け側より背板（８）を差し込み、その背板の縁部を側板（２）、中間の側板（３）及び天板（６）に形成した溝（２２）に嵌合する。
【００１８】
次に、図４、図１１及び図１２に示すように、側板（２）と背板（８）の裏面に固定した枠（２３）（図４及び図１１〜図１３参照）及び中間の側板（３）と枠（２３）の連結部をアングル（１１）等の固定具を用いて固定する。
【００１９】
その際、上記連結部に孔（２４）を形成し、この孔に鬼目ナット（２５）等の埋込ナットを挿入し、このナットを介して上記アングル（１１）をボルト（２６）等で止めているが、上記側板（２）等が丈夫な材料である場合は埋込ナットを用いないでネジ孔を形成しこれにボルトをねじ込んだり、また金属製の場合等は下穴を形成しこれにネジ切りボルトをねじ込んで固定することができる。
【００２０】
上記背板（８）を取り付けて後、地板（７）を側板（２）と中間の側板（３）の間に差し込み、その地板（７）端部を側板（２）及び中間の側板（３）に設けた支持部材（２７）に載置して支持する。
【００２１】
支持した後、図４及び図１４に示すように、巾木（１４）を側板（２）と中間の側板（３）にアングル（３６）を介してボルト（３９）等を用いて固定する。
【００２２】
次に、上部の棚（５）を組立てる場合について説明する。
上部の棚（５）は、上記下部の棚（４）とほぼ同様の構造を有するが、図示の例では地板（７）の取付け部分において相違している。
即ち、地板（７）に背板（８）の端部を挿入するための溝（２２）が形成されており、この溝に背板を支持した後、地板（７）を側板（２）及び中間の側板（３）に固定プレート（１２）を介してボルト（２８）等で固定している。
【００２３】
この場合、地板（７）と側板（２）及び地板（７）と中間の側板（３）の連結部に上記固定プレート（１２）の厚さに相当する深さの溝（２９）を設け、この溝に固定プレートを嵌合しこれをボルト（３７）で固定すると、側板（２）、中間の側板（３）、地板（７）及び固定プレート（１２）の下面がほぼ同一面となり、上記下部の棚（４）の上に上部の棚（５）を載置し、下部の棚（４）の天板（６）に形成した取付孔（３０）にジョイントボルト（３１）を通しその上部の棚（５）の地板（７）に形成したねじ孔（４０）に係合して上下の棚を結合している。
【００２４】
棚板（３２）は、図１５に示すように、上記側板（２）及び中間の側板（３）に設けた棚板受け（１３）に受具（３３）を取付け、この受具に棚板の端部を係合させて支持している。
なお、上記棚板受け（１３）及び受具（３３）は、この例に示すタイプのものの他、種々のものを用いることができる。
【００２５】
上記突起プレート（９）及び溝プレート（１０）は、実施例では上部の棚（５）及び下部の棚（４）の上部に設けられているが、これらは上下の棚の下部に設けるよにしてもよい。
なお、上記突起プレート（９）及び溝プレート（１０）は、側板（２）と天板（６）及び中間の側板（３）と天板（６）あるいはこれらの側板と地板（７）のいずれの側にも設けることができ、又そのプレート（９）、（１０）は側板（２）及び中間の側板（３）の上面あるいは天板（６）及び地板（７）の内面に設けることができる。
【００２６】
また、下部の棚（４）において、側板（２）と背板（８）及び中間の側板（３）と背板（８）をアングル（１１）で固定しているが、上記地板に背板（８）の縁部が嵌入される溝（２２）を形成し、この溝に背板（８）を嵌入した後、側板（２）と地板（７）及び中間の側板（３）と地板（７）をアングル（１１）で固定するようにしてもよい。この場合、側板（２）及び中間の側板（３）の下部に設けた支持部材（２７）は省略することができる。
【００２７】
なお、地板（７）や背板（８）は、例えば図１６に示すように、その下部に支持片（３４）を設け、この支持片を側板（２）や中間の側板（３）にボルト等で固定して支持するようにしてもよく、その他種々の固定方法を用いることができる。
【００２８】
上記天板（６）等の前面には、適宜案内溝（３５）を設けることができ、この案内溝に書籍内容等を記載したカードを差し込んで案内表示をすることができる。
【図面の簡単な説明】
【００２９】
【図１】本考案の実施例を示す斜面図である。
【図２】図１に示す棚の側面図である。
【図３】他例の棚を示す側面図である。
【図４】下部の棚の分解斜面図である。
【図５】上下の棚の分解斜面図である。
【図６】突起プレートの拡大平面図である。
【図７】突起プレートの拡大側面図である。
【図８】溝プレートの拡大平面図である。
【図９】突起プレートと溝プレートの取付け状態を示す部分斜面図である。
【図１０】突起プレートと溝プレートの係合状態を示す部分拡大断面図である。
【図１１】背板と側板の連結部の結合状態を示す部分斜面図である。
【図１２】中間側板と背板をアングルで固定する状態を示す拡大説明図である。
【図１３】背板の裏面図である。
【図１４】側板と巾木の取付け状態を示す部分拡大斜面図である。
【図１５】棚板受けと受具の結合状態を示す部分拡大斜面図である。
【図１６】側板と地板の結合状態を示す他の例の部分拡大断面図である。
【符号の説明】
【００３０】
２  側板
３  中間の側板
４  下部の棚
５  上部の棚
６  天板
７  地板
８  背板
９  突起プレート
１０  溝プレート
１１  アングル
１２  固定プレート
１３  棚板受け
１４  巾木
１６  頭部
１７  首部
１９  孔
２０  長孔
３２  棚板
３３  受具
【図１】
0003100980.tif 000003
【図２】
0003100980.tif 000004
【図３】
0003100980.tif 000005
【図４】
0003100980.tif 000006
【図５】
0003100980.tif 000007
【図６】
0003100980.tif 000008
【図７】
0003100980.tif 000009
【図８】
0003100980.tif 000010
【図９】
0003100980.tif 000011
【図１０】
0003100980.tif 000012
【図１１】
0003100980.tif 000013
【図１２】
0003100980.tif 000014
【図１３】
0003100980.tif 000015
【図１４】
0003100980.tif 000016
【図１５】
0003100980.tif 000017
【図１６】
0003100980.tif 000018